(57)【要約】【課題】太陽光発電による沸上運転が予定されている時に、ユーザが誤解して手動操作により沸上運転を行うのを防止する。【解決手段】余剰沸上判定部３３Ａにより、夜間帯の終了時刻までに翌日に必要な貯湯量の沸き上げを完了するための夜間沸上開始時刻までの間の、第１タイミングに、当該翌日の沸上時間帯に沸上運転を実行可能かどうかの判定が行われる。そして、実行可能と判定された場合には、第１タイミング以降で、かつ、夜間帯が終了する終了時刻までの間の第２タイミングに、表示部６１により昼沸上予告マークＭが表示される。これにより、ユーザは、昼沸上予告マークＭを視認することで、貯湯タンク１０内に未加熱水が残っている理由が、このあと沸上時間帯において太陽光発電の電力による沸上運転が実行されるからである、と正しく認識することができる。【選択図】図８
2018119732.tif 000002
【特許請求の範囲】
【請求項１】
太陽光発電装置と、
湯水を貯湯する貯湯タンク、前記湯水の加熱を行う加熱手段を備え、前記加熱手段が前記貯湯タンク内の湯水を加熱する沸上運転を行う貯湯式給湯装置と、
を有する太陽光発電装置連携貯湯式給湯システムにおいて、
前記太陽光発電装置の発電電力予測値を用いて、所望日の翌日における余剰電力予測値を決定する余剰電力予測手段と、
所望の表示を行う表示手段と、
前記所望日から前記翌日にわたる所定の夜間帯の終了時刻までに当該翌日に必要な貯湯量の沸き上げを完了するための夜間沸上開始時刻までの間の、所定の第１タイミングで、前記余剰電力予測値に基づき、前記翌日のうち前記夜間帯を除く昼間帯における、前記太陽光発電装置からの電力を用いた前記貯湯式給湯装置の前記沸上運転の可否を判定する、昼間沸上判定手段と、
前記昼間沸上判定手段により前記昼間帯における前記沸上運転が可能と判定された場合に、前記第１タイミング以降でかつ前記夜間帯の終了時刻までの間の所定の第２タイミングで前記昼間帯における前記沸上運転の実行に対応した昼沸上予告表示を行うように、前記表示手段を制御する表示制御手段と
を有することを特徴とする太陽光発電装置連携貯湯式給湯システム。
【請求項２】
前記翌日における、前記貯湯式給湯装置の消費する装置消費電力予測値を決定する装置消費電力予測手段、をさらに有し、
前記余剰電力予測手段は、
前記翌日における、前記太陽光発電装置の発電電力予測値、及び、前記貯湯式給湯装置を除く電気負荷の消費する負荷消費電力予測値、を用いて、当該翌日における前記余剰電力予測値を決定し、
前記昼間沸上判定手段は、
前記余剰電力予測値と、前記装置消費電力予測手段により決定された前記装置消費電力予測値と、に基づき、前記沸上運転の可否を判定する
ことを特徴とする請求項１記載の太陽光発電装置連携貯湯式給湯システム。
【請求項３】
気象情報を取得する気象情報取得手段をさらに有し、
前記余剰電力予測手段は、
前記気象情報取得手段により取得された前記気象情報に基づく前記発電電力予測値、及び、前記負荷消費電力予測値、を用いて、前記翌日における前記余剰電力予測値を決定する
ことを特徴とする請求項２記載の太陽光発電装置連携貯湯式給湯システム。
【請求項４】
前記表示制御手段は、
前記昼間帯における前記貯湯式給湯装置の前記沸上運転の完了時に前記昼沸上予告表示を消滅させるように、前記表示手段を制御する
ことを特徴とする請求項１乃至３の何れか１項記載の太陽光発電装置連携貯湯式給湯システム。
【請求項５】
前記表示制御手段は、
前記昼間沸上判定手段により前記昼間帯における前記沸上運転が不可と判定された場合には、前記昼沸上予告表示を行わないように、前記表示手段を制御する
ことを特徴とする請求項１乃至４の何れか１項記載の太陽光発電装置連携貯湯式給湯システム。
【請求項６】
前記表示制御手段は、
前記昼間沸上判定手段により前記昼間帯における前記沸上運転が可能と判定された場合には、前記昼沸上予告表示に加え、前記昼間帯における前記貯湯式給湯装置の前記沸上運転の開始時刻をさらに表示するように、前記表示手段を制御する
ことを特徴とする請求項１乃至５の何れか１項記載の太陽光発電装置連携貯湯式給湯システム。
【請求項７】
前記表示制御手段は、
前記昼間沸上判定手段により前記昼間帯における前記沸上運転が可能と判定された場合、当該昼間帯における前記貯湯式給湯装置の前記沸上運転が開始されたときに、前記沸上運転の開始時刻の表示を消滅させるように、前記表示手段を制御する
ことを特徴とする請求項６記載の太陽光発電装置連携貯湯式給湯システム。
【請求項８】
前記表示制御手段は、
前記貯湯タンク内における前記湯水の量を表示するように、前記表示手段を制御する
ことを特徴とする請求項１乃至請求項６の何れか１項記載の太陽光発電装置連携貯湯式給湯システム。
【請求項９】
前記貯湯式給湯装置における所定量の前記沸上運転の実行を手動操作により指示可能な遠隔操作手段を有する
ことを特徴とする請求項１乃至請求項８の何れか１項記載の太陽光発電装置連携貯湯式給湯システム。
【請求項１０】
前記表示手段は、前記遠隔操作手段に設けられている
ことを特徴とする請求項９記載の太陽光発電装置連携貯湯式給湯システム。
【請求項１１】
湯水を貯湯する貯湯タンク、前記湯水の加熱を行う加熱手段、及び、所望の表示を行う表示手段を備え、太陽光発電装置と連携しつつ、前記加熱手段が前記貯湯タンク内の湯水を加熱する沸上運転を行う太陽光発電装置連携貯湯式給湯装置において、
所望日の翌日のうち夜間帯を除く昼間帯における、前記太陽光発電装置からの電力を用いた前記貯湯式給湯装置の前記沸上運転の可否を判定する、昼間沸上判定手段と、
前記昼間沸上判定手段により前記昼間帯における前記沸上運転が可能と判定された場合に、前記判定を行った時点を第１タイミングとし、前記第１タイミング以降でかつ前記夜間帯の終了時刻までの間の所定の第２タイミングで前記昼間帯における前記沸上運転の実行に対応した昼沸上予告表示を行うように、前記表示手段を制御する表示制御手段と
を有することを特徴とする太陽光発電装置連携貯湯式給湯装置。
【発明の詳細な説明】
【技術分野】
【０００１】
この発明は、太陽光発電による電力を用いた沸上運転を行う、太陽光発電装置連携貯湯式給湯システム及び太陽光発電装置連携貯湯式給湯装置に関するものである。
【背景技術】
【０００２】
従来よりこの種の太陽光発電装置連携貯湯式給湯システムにおいては、特許文献１記載のように、外部から取得した気象予測情報に基づき、翌日に予想される太陽光発電装置での発電電力から、給湯装置以外の電気負荷が消費する負荷使用電力値を差し引いて翌日の余剰電力値を予測し、その余剰電力値が翌日に給湯装置が消費すると予測される装置使用電力値以上である場合には、翌日昼間帯に太陽光発電電力を用いた沸上運転を実行可能と判定するものがあった。
【先行技術文献】
【特許文献】
【０００３】
【特許文献１】特開２０１３−１４８２８７号公報
【発明の概要】
【発明が解決しようとする課題】
【０００４】
前記の従来技術において、前記のようにして翌日の昼間帯の沸上運転が実行可能と判定された場合、当該昼間帯での沸上運転による沸上量の分、前記翌日の前の夜間帯（前記翌日の前日から前記翌日にわたる夜間帯）に、通常の手法により実行される沸上運転（＝システム外から供給される電力を使用した沸上運転）での沸上量を減らすことができる。この場合、当該夜間帯が終了した直後（言い替えれば昼間帯が開始された直後、例えば７：００等）においては、貯湯タンク内の全ての湯水が沸き上げられた状態とはなっておらず、未加熱水が、ある程度（＝前記太陽光発電の電力による前記昼間帯の沸上運転による沸上量の分）貯湯タンク内に残ったままとなる。
【０００５】
この結果、ユーザが、前記貯湯タンク内の未加熱水の存在を不審に思い（若しくはそれ以降の使用における湯切れを危惧して）、電気料金の高い前記昼間帯においてわざわざ手動操作により所定量の前記沸上運転を実行（＝いわゆる手動湯増し）したり、あるいは貯湯式給湯装置の作動不具合と誤解する可能性があるという問題があった。
【課題を解決するための手段】
【０００６】
上記課題を解決するために、本発明の請求項１では、太陽光発電装置と、湯水を貯湯する貯湯タンク、前記湯水の加熱を行う加熱手段を備え、前記加熱手段が前記貯湯タンク内の湯水を加熱する沸上運転を行う貯湯式給湯装置と、を有する太陽光発電装置連携貯湯式給湯システムにおいて、前記太陽光発電装置の発電電力予測値を用いて、所望日の翌日における余剰電力予測値を決定する余剰電力予測手段と、所望の表示を行う表示手段と、前記所望日から前記翌日にわたる所定の夜間帯の終了時刻までに当該翌日に必要な貯湯量の沸き上げを完了するための夜間沸上開始時刻までの間の、所定の第１タイミングで、前記余剰電力予測値に基づき、前記翌日のうち前記夜間帯を除く昼間帯における、前記太陽光発電装置からの電力を用いた前記貯湯式給湯装置の前記沸上運転の可否を判定する、昼間沸上判定手段と、前記昼間沸上判定手段により前記昼間帯における前記沸上運転が可能と判定された場合に、前記第１タイミング以降でかつ前記夜間帯の終了時刻までの間の所定の第２タイミングで前記昼間帯における前記沸上運転の実行に対応した昼沸上予告表示を行うように、前記表示手段を制御する表示制御手段とを有するものである。
【０００７】
また、請求項２では、前記翌日における、前記貯湯式給湯装置の消費する装置消費電力予測値を決定する装置消費電力予測手段、をさらに有し、前記余剰電力予測手段は、前記翌日における、前記太陽光発電装置の発電電力予測値、及び、前記貯湯式給湯装置を除く電気負荷の消費する負荷消費電力予測値、を用いて、当該翌日における前記余剰電力予測値を決定し、前記昼間沸上判定手段は、前記余剰電力予測値と、前記装置消費電力予測手段により決定された前記装置消費電力予測値と、に基づき、前記沸上運転の可否を判定するものである。
【０００８】
また、請求項３では、気象情報を取得する気象情報取得手段をさらに有し、
前記余剰電力予測手段は、前記気象情報取得手段により取得された前記気象情報に基づく前記発電電力予測値、及び、前記負荷消費電力予測値、を用いて、前記翌日における前記余剰電力予測値を決定するものである。
【０００９】
また、請求項４では、前記表示制御手段は、前記昼間帯における前記貯湯式給湯装置の前記沸上運転の完了時に前記昼沸上予告表示を消滅させるように、前記表示手段を制御するものである。
【００１０】
また、請求項５では、前記表示制御手段は、前記昼間沸上判定手段により前記昼間帯における前記沸上運転が不可と判定された場合には、前記昼沸上予告表示を行わないように、前記表示手段を制御するものである。
【００１１】
また、請求項６では、前記表示制御手段は、前記昼間沸上判定手段により前記昼間帯における前記沸上運転が可能と判定された場合には、前記昼沸上予告表示に加え、前記昼間帯における前記貯湯式給湯装置の前記沸上運転の開始時刻をさらに表示するように、前記表示手段を制御するものである。
【００１２】
また、請求項７では、前記表示制御手段は、前記昼間沸上判定手段により前記昼間帯における前記沸上運転が可能と判定された場合、当該昼間帯における前記貯湯式給湯装置の前記沸上運転が開始されたときに、前記沸上運転の開始時刻の表示を消滅させるように、前記表示手段を制御するものである。
【００１３】
また、請求項８では、前記表示制御手段は、前記貯湯タンク内における所定温度以上である前記湯水の量を表示するように、前記表示手段を制御するものである。
【００１４】
また、請求項９では、前記貯湯式給湯装置における所定量の前記沸上運転の実行を手動操作により指示可能な遠隔操作手段を有するものである。
【００１５】
また、請求項１０では、前記表示手段は、前記遠隔操作手段に設けられているものである。
【００１６】
また、請求項１１では、湯水を貯湯する貯湯タンク、前記湯水の加熱を行う加熱手段、及び、所望の表示を行う表示手段を備え、太陽光発電装置と連携しつつ、前記加熱手段が前記貯湯タンク内の湯水を加熱する沸上運転を行う太陽光発電装置連携貯湯式給湯装置において、所望日の翌日のうち夜間帯を除く昼間帯における、前記太陽光発電装置からの電力を用いた前記貯湯式給湯装置の前記沸上運転の可否を判定する、昼間沸上判定手段と、前記昼間沸上判定手段により前記昼間帯における前記沸上運転が可能と判定された場合に、前記判定を行った時点を第１タイミングとし、前記第１タイミング以降でかつ前記夜間帯の終了時刻までの間の所定の第２タイミングで前記昼間帯における前記沸上運転の実行に対応した昼沸上予告表示を行うように、前記表示手段を制御する表示制御手段とを有するものである。
【発明の効果】
【００１７】
この発明の請求項１によれば、太陽光発電装置と、貯湯式給湯装置とが備えられている。日照条件が良好な場合、太陽光発電装置は太陽光を受光して発電を行うことができ、貯湯式給湯装置は、この太陽光発電装置で発電された電力を用いて、ヒートポンプ式加熱手段が加熱循環回路を介し貯湯タンク内の湯水を加熱する沸上運転を行うことができる。
【００１８】
このようにして太陽光発電による電力を用いた沸上運転を行う場合、貯湯式給湯装置に供給される電力値（詳細には、例えば、発電電力値から貯湯式給湯装置を除く電気負荷の消費する負荷消費電力値を差し引いた余剰電力値）がある程度大きい必要がある。そこで、前記沸上運転を円滑に行うために、請求項１によれば、余剰電力予測手段が設けられる。
【００１９】
すなわち余剰電力予測手段は、太陽光発電装置での発電電力値の時間的変動を表す、太陽光発電装置の発電電力予測値を用いて、ある１日（所望日）の翌日１日間における前記余剰電力予測値を決定する。
【００２０】
そして、前記余剰電力予測値に基づき、前記翌日の昼間帯における貯湯式給湯装置の前記沸上運転を実行可能かどうかが、昼間沸上判定手段により判定される。例えば前記翌日における前記余剰電力予測値が比較的大きい場合（詳細には、例えば、貯湯式給湯装置の消費する装置消費電力予測値以上である場合）には、前記沸上運転を実行可能と判定される。なお、この判定は、前記所望日〜前記翌日にわたる夜間帯の終了時刻までに当該翌日に必要な貯湯量の沸き上げを完了するための夜間沸上開始時刻までの間の、所定のタイミング（第１タイミング）で実行される。
【００２１】
ところで、前記のようにして翌日の昼間帯の沸上運転が実行可能と判定された場合、当該昼間帯での沸上運転による沸上量の分、前記所望日〜前記翌日にわたる前記夜間帯に通常の手法（システム外から供給される電力を使用）により実行される沸上運転による、沸上量を減らすことができる。この結果、当該夜間帯が終了した直後（言い替えれば昼間帯が開始された直後、例えば７：００等）においても、貯湯タンク内の全ての湯水が沸き上げられた状態とはなっておらず、未加熱水が、ある程度（＝前記太陽光発電の電力による前記昼間帯の沸上運転による沸上量の分）貯湯タンク内に残ったままとなる。
【００２２】
これに対応し、請求項１によれば、表示制御手段が設けられる。前記のように昼間沸上判定手段により翌日の昼間帯の沸上運転が実行可能と判定された場合には、前記表示制御手段の制御により、適宜のタイミング（詳細には、判定時である前記第１タイミング以降でかつ前記夜間帯の終了時刻までの第２タイミング）において、対応する昼沸上予告表示が前記表示手段において表示される。これにより、ユーザは、当該昼沸上予告表示を視認することで、貯湯タンク内に未加熱水が残っている理由が、このあと昼間帯において太陽光発電の電力による沸上運転が実行されるからである、と正しく認識することができる。この結果、前記の手動操作による沸上運転の実行や作動不具合との誤解といった不都合を回避することができる。また、翌日に太陽光発電の電力が利用できること、すなわち翌日の気象情報が概ね良好（晴天）であることをユーザに報知することもできる。
【００２３】
また、請求項２によれば、昼間沸上判定手段が、太陽光発電装置の発電電力予測値と電気負荷の消費する負荷消費電力予測値とを用いて決定された余剰電力予測値と、前記装置消費電力予測手段により決定された装置消費電力予測値と、に基づき、前記沸上運転の可否を判定することにより、より精度の高い確実な判定を行うことができる。
【００２４】
また、請求項３によれば、気象情報取得手段により、翌日１日間における気象情報（天気予報情報や日照時間情報等）が取得される。前記気象情報により、当該翌日における上記日照条件の時間的変動が明らかとなることから、余剰電力予測手段は、それに対応した、太陽光発電装置での発電電力値の時間的変動を表す発電電力予測値と、前記負荷消費電力予測値とを用いて、前記余剰電力予測値を決定することができる。このようにして、例えばシステム外部から提供されている公知の気象情報を用いて、確実な余剰電力予測値の決定を行うことができる。
【００２５】
また、請求項４によれば、昼間帯の沸上運転の完了時に昼沸上予告表示が消えることで、予告した、太陽光発電を用いた昼間帯の沸上運転が終了したことをユーザに確実に認識させることができる。
【００２６】
また、請求項５によれば、昼沸上予告表示を行わないことで、翌日に太陽光発電の電力利用の沸上運転を行わないこと、言い替えれば翌日の気象情報が良好ではないこと、をユーザに確実に認識させることができる。
【００２７】
また、請求項６によれば、昼間帯において太陽光発電の電力による沸上運転が実行開始される時間を、確実にユーザに報知することができる。
【００２８】
また、請求項７によれば、沸上運転の開始時刻の表示を、当該沸上運転開始後には確実に消滅させることで、例えば、沸上運転開始後にも表示した状態とする場合（あるいは、沸上運転終了後にも表示した状態とする場合）における、ユーザの誤解（さらに翌日の沸上運転の開始時刻との誤解）を避けることができる。
【００２９】
また、請求項８によれば、前記夜間帯が終了した直後、沸き上げられた状態である所定温度以上の湯水として表示されているのが、貯湯タンク内の全ての湯水となっていない理由が、そのあと昼間帯において太陽光発電の電力による沸上運転が実行されるからである、とユーザに確実に認識させることができる。
【００３０】
また、請求項９によれば、遠隔操作手段を介しユーザが手動操作で沸上運転の実行を指示可能な構成において、昼間帯において太陽光発電の電力による沸上運転が実行されることをユーザに確実に認識させ、前記手動操作による沸上運転を不用意に実行してしまうのを確実に防止できる。
【００３１】
また、請求項１０によれば、昼間帯において太陽光発電の電力による沸上運転が実行されることを、手元の遠隔操作手段を介しユーザに確実に認識させることができる。
【図面の簡単な説明】
【００３２】
【図１】本発明の一実施形態の太陽光発電装置連携貯湯式給湯システムのシステム構成図
【図２】ＨＥＭＳ機器及び制御部の機能ブロック図
【図３】翌日の天気が晴れと予測された場合の、太陽光発電による発電電力量の予測値、及び、電気負荷機器における消費電力量の予測値、の経時挙動を概念的に表すグラフ図
【図４】翌日の天気が雨又は曇り等と予測された場合の、太陽光発電による発電電力量の予測値、及び、電気負荷機器における消費電力量の予測値、の経時挙動を概念的に表すグラフ図
【図５】リモコン装置の詳細構成を表す外観図
【図６】夜間帯に沸上運転を行った場合の、リモコン装置による翌朝の表示例を表す図
【図７】翌日の昼間帯の沸上時間帯に沸上運転を行う場合の、本発明の一実施形態の比較例のリモコン装置による翌朝の表示例を表す図
【図８】翌日の昼間帯の沸上時間帯に沸上運転を行う場合の、本発明の一実施形態のリモコン装置による翌朝の表示例を表す図
【図９】翌日の昼間帯の沸上時間帯に沸上運転を行った後の、本発明の一実施形態のリモコン装置による翌日夕方の表示例を表す図
【図１０】リモコン装置の表示部にウィンドウを表示する変形例を表す図
【図１１】ＨＥＭＳ機器が実行する制御手順を表すフローチャート図
【図１２】制御装置が実行する制御手順の前半部分を表すフローチャート図
【図１３】制御装置が実行する制御手順の後半部分を表すフローチャート図
【図１４】ステップＳ２００の詳細手順を表すフローチャート図
【図１５】ステップＳ３００の詳細手順を表すフローチャート図
【発明を実施するための形態】
【００３３】
次に、本発明の一実施の形態を図１〜図１５に基づいて説明する。
【００３４】
本実施形態の太陽光発電装置連携貯湯式給湯システムのシステム構成を図１に示す。なお、図１においては、図示の煩雑防止のために、後述する信号授受のうち一部は図示省略している。図１において、本実施形態の太陽光発電装置連携貯湯式給湯システム１００は、図示しない家屋等の建造物（特定の電力消費設備に相当）に設置されたヒートポンプ式の貯湯式給湯装置１と、商用電源４９に接続された分電盤２と、前記家屋の屋根等に設置された太陽光発電パネル４、及び、太陽光発電パネル４の発電電力を交流電源に変換するインバータ５を備えた太陽光発電装置３と、前記貯湯式給湯装置１以外の他の負荷を構成する、例えばエアコン等からなる電気負荷機器６（図１中では単に「エアコン」と図示）と、前記家屋の家庭内の電力マネジメントを行うためのＨＥＭＳ（＝Ｈｏｍｅ  Ｅｎｅｒｇｙ  Ｍａｎａｇｅｍｅｎｔ  Ｓｙｓｔｅｍ）機器７と、ネットワーク通信網８と、サーバ９とを有している。
【００３５】
前記ＨＥＭＳ機器７は、貯湯式給湯装置１及び太陽光発電装置３に双方向に通信可能（破線参照。以下同様）に接続されている。これにより、ＨＥＭＳ機器７は、貯湯式給湯装置１の使用状況や太陽光発電装置３の発電電力情報や分電盤２の分岐回路ごとの消費電力量の情報を収集可能となっている。またＨＥＭＳ機器７は、さらに前記ネットワーク通信網８を介し前記サーバ機器９に接続され、必要な情報を相互にやりとり可能となっている。なお、ＨＥＭＳ機器７が太陽光発電装置３との間の通信により前記発電電力情報を収集するのに代え、ＨＥＭＳ機器７が、分電盤２への発電電力の入力あるいは分電盤３と商用電源４９との間の電力の授受を監視することで、太陽光発電装置３の発電電力情報を収集するようにしても良い。
【００３６】
前記貯湯式給湯装置１は、リモコン装置５０（遠隔操作手段に相当）と、湯水を貯湯する貯湯タンク１０と、前記貯湯タンク１０の底部に給水する給水管１１と、前記貯湯タンク１０の頂部から出湯する出湯管１２と、前記給水管１１から分岐した給水バイパス管１３と、前記出湯管１２からの湯と前記給水バイパス管１３からの水を、前記リモコン装置５０によって設定された給湯設定温度になるように混合する混合弁１４と、図示しない給湯端末に給湯する給湯管１５と、給湯流量を検出し対応する検出信号を出力する給湯流量センサ１６と、給湯温度を検出し対応する検出信号を出力する給湯温度センサ１７と、前記貯湯タンク１０内の湯水の貯湯温度を検出し対応する検出信号を出力する貯湯温度センサ１８とを有している。前記貯湯温度センサ１８は、貯湯タンク１０の側面に高さ位置を変えて複数個設けられている。これら複数の貯湯温度センサ１８のそれぞれは、例えば、十分に加熱された状態の湯の温度に対応して予め設定された、所定のしきい値以上の湯水温度を検出したとき、対応する検出信号を制御装置３１へ出力するように構成されている。これにより、前記複数の貯湯温度センサ１８のうち何個のセンサから前記検出信号が出力されているかに基づき、前記制御装置３１は、前記貯湯タンク１０内において十分に加熱された状態となっている湯の量（すなわち貯湯量）を検出することができる。
【００３７】
また、前記貯湯式給湯装置１はさらに、前記貯湯タンク１０内の湯水を沸上目標温度に加熱するヒートポンプ装置１９（ヒートポンプ式加熱手段に相当）を有している。このヒートポンプ装置１９は、冷媒を高温高圧に圧縮搬送する圧縮機２０と、前記高温の高圧の冷媒と前記貯湯タンク１０からの水との熱交換を行う水冷媒熱交換器２１と、前記水冷媒熱交換器２１で熱交換後の冷媒を減圧膨張させる膨張弁２２と、外気と低圧冷媒との熱交換を行い低圧冷媒を蒸発させる空気熱交換器２３と、前記空気熱交換器２３へ外気を送風する送風機２４と、前記圧縮機２０から吐出される前記冷媒の温度を検出し対応する検出信号を前記制御装置３１へ出力する吐出温度センサ２５と、外気温度を検出し対応する検出信号を前記制御装置３１へ出力する外気温度センサ３０とを備えている。
【００３８】
また、前記貯湯式給湯装置１はさらに、貯湯式給湯装置１全体の作動を制御する前記制御装置３１と、前記貯湯タンク１０の下部と前記水冷媒熱交換器２１の水側入口とを接続する加熱往き管２６と、水冷媒熱交換器２１の水側出口と前記貯湯タンク１０の上部とを接続する加熱戻り管２７と、前記加熱往き管２６の途中に設けられた加熱循環ポンプ２８と、前記加熱戻り管２７に設けられ検出信号を前記制御装置３１へ出力する沸上温度センサ２９とを有している。なお、前記の加熱往き管２６、加熱戻り管２７、及び加熱循環ポンプ２８により加熱循環回路が構成されている（以下適宜、単に「加熱循環回路２６，２７，２８」という）。
【００３９】
前記のように、本実施形態の太陽光発電装置連携貯湯式給湯システム１００は、太陽光発電装置３と、貯湯式給湯装置１とが備えられている。日照条件が良好な場合、前記太陽光発電装置３は、前記太陽光発電パネル４で太陽光を受光して発電を行うことができ、前記貯湯式給湯装置１は、この太陽光発電装置３で発電された電力を用いて、前記ヒートポンプ装置１９が加熱循環回路２６，２７，２８を介し貯湯タンク１０内の湯水を加熱する沸上運転を行うことができる。逆に、日照条件があまり良好でない場合、前記太陽光発電装置３は太陽光の受光による十分な発電を行うことができないため、前記貯湯式給湯装置１は前記商用電源４９から供給される電力を用いて、前記沸上運転を行う。
【００４０】
前記のような太陽光発電による電力を用いた沸上運転を行うためには、少なくとも発電電力値がある程度大きい（詳細には、貯湯式給湯装置１に供給される電力値、すなわち、発電電力値から貯湯式給湯装置１を除く前記電気負荷機器６の消費する負荷使用電力値を差し引いた余剰電力値がある程度大きい。後述）必要がある。そこで、前記太陽光発電による電力を用いた沸上運転を円滑に行うために、太陽光発電装置連携貯湯式給湯システム１００には、前記ＨＥＭＳ機器７及び前記制御装置３１に、図２に示す各機能部が設けられている。
【００４１】
すなわち、図２に示すように、前記ＨＥＭＳ機器７には、気象情報取得部３２Ａと、発電電力予測部３２Ｂと、負荷使用電力予測部３２Ｃと、装置使用電力予測部３２Ｄと、余剰電力予測部３２Ｅとが設けられている。また前記制御装置３１には、余剰沸上判定部３３Ａと、余剰沸上制御部４０と、余剰沸上容量算出部３７と、使用湯量学習部３４と、必要熱量決定部３５と、夜間沸上容量算出部３６と、補正夜間沸上容量算出部３８と、夜間沸上制御部３９と、昼間沸増制御部４２とが設けられている。なお、表示制御部３３Ｂについては、後述する。また、これら各機能部の、ＨＥＭＳ機器７及び制御装置３１における割り当て（配分）は、図示の例に限られず、例えばＨＥＭＳ機器７と制御装置３１との間の通信内容を充実化することで、ＨＥＭＳ機器７に設けられている前記の各機能部３２Ａ〜３２Ｅのうち一部又は全部の機能を、貯湯式給湯装置１の制御装置３１に設けた構成としても良いし、逆に、制御装置３１に設けられている前記の各機能部３３Ａ，３３Ｂ，３４〜４２のうちの一部又は全部の機能をＨＥＭＳ機器７に設けた構成としても良い。
【００４２】
前記気象情報取得部３２Ａ（気象情報取得手段に相当）は、例えばサーバ９から発せられる気象情報（例えば天気予報情報や日照時間情報等）を取得する。なお、サーバ９以外の適宜の箇所から公知情報としての気象情報を取得しても良い。
【００４３】
前記発電電力予測部３２Ｂ（発電電力予測手段に相当）は、太陽光発電装置３から取得済みの、過去所定期間において時間変動した単位時間ごとの発電電力量と、前記気象情報取得部３２Ａで取得された気象情報とに基づき、決定対象となる特定期間（この例では、例えば後述の図１１〜図１５に示すフローによる制御手順が実行される所望日の翌日の１日間。以下適宜、単に「翌日」という）での、時間変動する前記太陽光発電装置３の発電電力挙動における単位時間ごとの発電電力予測値を決定（算出）する。
【００４４】
前記負荷使用電力予測部３２Ｃ（負荷消費電力予測手段に相当）は、前記分電盤２から取得済みの、前記建造物におけるエアコン等の前記電気負荷機器６の過去所定期間の単位時間ごとの消費電力量に基づき、前記翌日での、当該電気負荷機器６の単位時間ごとの消費電力を表す負荷使用電力の予測値（時間変動する場合もしない場合も含む）を決定（算出）する。
【００４５】
前記装置使用電力予測部３２Ｄ（装置消費電力予測手段に相当）は、前記貯湯式給湯装置１から取得済みの、当該貯湯式給湯装置１の過去所定期間の単位時間ごとの消費電力量に基づき、前記翌日での当該貯湯式給湯装置１の単位時間ごとの消費電力を表す装置使用電力の予測値（時間変動する場合もしない場合も含む）を決定（算出）する。
【００４６】
前記余剰電力予測部３２Ｅ（余剰電力予測手段に相当）は、前記発電電力予測部３２Ｂにより決定された前記発電電力予測値と、前記負荷使用電力予測部３２Ｃにより決定された前記負荷使用電力予測値とに基づき（具体的には前記発電電力予測値から前記負荷使用電力予測値を差し引いて）、前記翌日での時間変動する余剰電力挙動における前記建造物における単位時間ごとの余剰電力予測値を決定（算出）する。
【００４７】
前記余剰沸上判定部３３Ａは、前記余剰電力予測部３２Ｅで決定された前記翌日の単位時間ごとの余剰電力予測値と、前記装置使用電力予測部３２Ｄで決定された前記翌日の単位時間ごとの装置使用電力予測値とを比較する。そして、前記翌日において、予め定められた長さ以上、連続して前記余剰電力予測値が前記装置使用電力予測値以上となるような時間帯（沸上可能時間帯）があるか否か、すなわち、前記翌日において太陽光発電による電力を用いた沸上運転を行えるか否か、を判定する。
【００４８】
この判定の具体例を、図３を用いて説明する。図３は、横軸に「０：００」，「１：００」，・・，「２３：００」，「２４：００」のように前記翌日の時刻が刻まれる時間軸をかつ縦軸に電力量［ｋＷｈ］を取り、前記翌日における、前記太陽光発電装置３における発電電力量の予測値（発電電力予測部３２Ｂにより予測）、前記電気負荷機器６における前記負荷使用電力予測値（負荷使用電力予測部３２Ｃにより予測）、及び、前記貯湯式給湯装置１における前記装置使用電力予測値（装置使用電力予測部３２Ｄにより予測）、の一例を概念的にそれぞれ表したグラフである。なお、前記の判定は、詳細を後述するように、前記翌日の前日である前記所望日（以下適宜、「判定日」という）若しくは前記翌日の適宜のタイミング（第１タイミング。この例では後述のように２３：００）に行われることから、横軸には、前記翌日の「０：００」の前に、前記判定日の「２３：００」も併せて表記している。
【００４９】
図３に示すように、この例は、前記気象情報取得部３２Ａで取得された気象情報により前記翌日における天気が晴れであると予測された場合の例である。すなわち、図中の実線による折れ線グラフで示すように、前記翌日の太陽光発電装置３における発電電力量の予測値は、０：００〜６：００までほぼ０［ｋＷｈ］で推移するが、日の出（６：００〜７：００の間）とともに徐々に上昇し、７：００では０．２［ｋＷｈ］、８：００では１．０［ｋＷｈ］、８：３０で１．５［ｋＷｈ］、となり、その後９：００で１．８［ｋＷｈ］、１０：００では２．５［ｋＷｈ］、１１：００での３．２［ｋＷｈ］を経て、１２：００における３．３［ｋＷｈ］でピークを迎える。その後は、太陽光発電装置３における発電電力量は、日の陰りとともに徐々に減少し、１３：００では３．２［ｋＷｈ］、１４：００では２．５［ｋＷｈ］となり、その後１５：００で１．８［ｋＷｈ］、１５：３０で１．５［ｋＷｈ］、１６：００では１．０［ｋＷｈ］、１７：００での０．２［ｋＷｈ］を経て、日の入り（１７：００〜１８：００の間）により１８：００以降はそのまま２４：００までほぼ０［ｋＷｈ］となる。
【００５０】
一方、図中の灰色の棒グラフで示すように、前記電気負荷機器６における負荷使用電力の予測値は、前記翌日の０：００〜２４：００の間、終日、０．５［ｋＷｈ］となっている。この結果、「太陽光発電装置３における発電電力量」−「電気負荷機器６における負荷使用電力量」で表される前記余剰電力の予測値は、図３に示すように、前記翌日の８：００で初めて０．５［ｋＷｈ］が生じ、８：３０で１．０［ｋＷｈ］、９：００で１．３［ｋＷｈ］、１０：００で２．０［ｋＷｈ］、１１：００での２．７［ｋＷｈ］を経て、１２：００における２．８［ｋＷｈ］で最大となる。その後、徐々に減少し、１３：００では２．７［ｋＷｈ］、１４：００では２．０［ｋＷｈ］、１５：００で１．３［ｋＷｈ］、１５：３０で１．０［ｋＷｈ］、１６：００で０．５［ｋＷｈ］となる。
【００５１】
以上のような余剰電力の時間変動に対し、この例では、前記貯湯式給湯装置１が運転されるときの装置使用電力の予測値は、単位時間あたり１［ｋＷｈ］となっている。この結果、前記余剰沸上判定部３３Ａは、「余剰電力」≧「貯湯式給湯装置１の装置使用電力」となり、かつ連続３時間以上の運転時間を確保可能な、８：３０〜１５：３０までの時間帯（沸上可能時間帯）において、前記余剰電力により前記貯湯式給湯装置１を運転可能であると判定する。図３中には、このような判定の結果、前記貯湯式給湯装置１の前記沸上運転が、前記沸上可能時間帯のうちの１１：００〜１５：００（以下適宜、「沸上時間帯」という）で実行されるように設定（詳細は後述）された場合を一例として並記して示している（黒色棒グラフ参照）。なお、図中の前記第１タイミング、第２タイミング、昼沸上予告マーク等については後に詳述する。
【００５２】
以上のようにして、本実施形態では、気象情報取得部３２Ａが取得した前記翌日１日間の気象情報に対応して発電電力予測部３２Ｂが太陽光発電装置３での発電電力値を決定し、それに基づいて、余剰沸上判定部３３Ａが、太陽光発電を用いた前記沸上運転を実行可能か否かを判定することができる。
【００５３】
なお、図３に示した例は、前記したように前記翌日における天気が晴れであると予測された場合（その結果、前記太陽光発電による発電可能と判定された場合）の例である。これに対し、例えば前記気象情報取得部３２Ａで取得された気象情報により前記翌日における天気が雨又は曇り等（太陽による日射がほとんどない）と予測された場合の例を図４に示す。この場合、図中の実線による折れ線グラフで示すように、太陽光発電装置３における発電電力量の予測値は、０：００〜８：００までほぼ０［ｋＷｈ］で推移し、日の出に伴ってわずかに上昇するが、９：００で０．１［ｋＷｈ］、１０：００では０．３［ｋＷｈ］、１１：００で０．５［ｋＷｈ］、１２：００での０．６［ｋＷｈ］を経た後の１３：００におけるピークでも０．７［ｋＷｈ］程度に留まる。その後は、太陽光発電装置３における発電電力量は、１４：００で０．６［ｋＷｈ］、１５：００で０．５［ｋＷｈ］、１６：００では０．３［ｋＷｈ］、１７：００で０．１［ｋＷｈ］となり、１８：００以降はそのまま２４：００までほぼ０［ｋＷｈ］となる。この結果、「太陽光発電装置３における発電電力量」−「電気負荷機器６における負荷使用電力量」で表される前記余剰電力の予測値は、図４に示すように、前記翌日の１２：００〜１４：００までの間でわずかに生じる程度であり、その最大値も０．２［ｋＷｈ］程度に留まる。このような場合、前記余剰沸上判定部３３Ａは、前記余剰電力による前記貯湯式給湯装置１の前記沸上運転は不可能であると判定する。図４中には、このような判定の結果、前記貯湯式給湯装置１の沸上運転が、（太陽光発電による電力を用いず）上記商用電源４９からの給電により、通常通り、電力料金単価が安価な夜間帯（この例では２３：００〜７：００）のうちの適宜の時間帯（この例では３：００〜７：００）で実行されるように設定された場合を一例として並記して示している（黒色棒グラフ参照。詳細は後述）。なお、前記と同様、図中の前記第１タイミング及び昼沸上予告マーク等については後に詳述する。
【００５４】
次に、前記リモコン装置５０の詳細構成を図５に示す。図５において、リモコン装置５０は、表示部６０（表示手段に相当）と、前記貯湯タンク１０から浴槽内への湯張りや湯張り後の湯の保温等を自動的に行うための「ふろ自動」スイッチ７１と、浴室内との通話を行うための「通話」スイッチ７２と、スピーカ７３と、前記給湯温度等の各種数値の＋側−側の操作設定や前記表示部６０内のカーソルの上向き・左向き・下向き・横向き移動操作を行うための十字キー７４と、「メニュー／決定」スイッチ７５と、手動操作により前記沸上運転を行って貯湯タンク１０内の前記貯湯量を所定量だけ増大させるための「タンク湯増し」スイッチ７６と、貯湯タンク１０内の前記貯湯量が予め定められた前記しきい値以下に減少したときに前記昼間沸増容量を沸き上げる前記自動湯増し機能を、手動操作により（操作当日のみ）休止させる、「湯増し休止」スイッチ７７と、予め用意された「節約（ｅｃｏ）モード」等の複数の運転モード（詳細な説明は省略）の説明を含む各種ガイドを前記表示部６０に表示させるための「ｅｃｏガイド」スイッチ７８と、前記表示部６０に表示される表示画面を１つ前の表示画面に戻すための「戻る」スイッチ７９とを有している。
【００５５】
表示部６０は、それぞれが所定の内容を表示する複数の表示画面を、切り替え可能に構成されている。図示の表示画面６０Ａでは、現在の日付及び時刻（この例では５月３１日金曜日の２２時３０分）を表示する日時表示部６１と、前記浴槽内の湯の温度（この例では４０℃）を表示するふろ温度表示部６２と、前記給湯温度（この例では４０℃）を表示する給湯温度表示部６３と、前記貯湯タンク１０内の前記貯湯量を表示する貯湯量表示部６４と、前記ネットワーク通信網８を介して前記サーバ９と接続されていることを表すネットワーク表示部６５と、前記複数のモードのうちいずれのモードとなっているか（この例では「おまかせ省エネ」モード。詳細内容は省略）を表すモード表示部６６とを有している。
【００５６】
前記貯湯量表示部６４は、前記表示制御部３３Ｂの制御により、前記貯湯温度センサ１８の検出結果に対応して前記貯湯タンク１０内の前記貯湯量を表示する。図示の例では、前記貯湯量表示部６４は、５つの表示エレメント６４Ａ〜６４Ｃによって５段階に前記貯湯量を表示可能となっている。すなわち、前記貯湯タンク１０内のほぼ全てが前記十分に加熱された状態の湯となっている（前記貯湯量が満タンである）場合は、すべての前記表示エレメント６４Ａ，６４Ｂ，６４Ｃ，６４Ｄ，６４Ｅが点灯表示される。逆に、前記貯湯タンク１０内の前記貯湯量がほぼ空である場合は、すべての前記表示エレメント６４Ａ，６４Ｂ，６４Ｃ，６４Ｄ，６４Ｅが消灯され、この状態から前記貯湯量が徐々に増大するにつれて、下段の前記表示エレメント６４Ａから、表示エレメント６４Ｂ、表示エレメント６４Ｃ、表示エレメント６４Ｄ、表示エレメント６４Ｅの順で追加して店頭表示される。図示の例は、前記貯湯量が貯湯タンク１０内の全容量のうち１／５程度である状態を示しており、前記表示エレメント６４Ａ〜６４Ｅのうち最下段の表示エレメント６４Ａのみが点灯表示されるとともに、残りの４つの表示エレメント６４Ｂ，６４Ｃ，６４Ｄ，６４Ｅは消灯されている（図中では明確化のために破線にて表現している）。
【００５７】
ここで、図５に示す例では、家事や入浴時等の湯水の使用によって（前記日時表示部６１の２２時３０分の時刻表示参照）、貯湯タンク１０内の貯湯量が満タンの１／５程度にまで減少（前記貯湯量表示部６４の最下段の表示エレメント６４Ａのみが点灯）した場合を示している。既に述べたように、本実施形態では、翌日（この例では５月３１日の次の日の６月１日）において予想される日照条件が良好な場合には、当該翌日（６月１日）において、前記太陽光発電装置３で発電された電力を用いて前記沸上可能時間帯に沸上運転を行うことができる。前記翌日（６月１日）において予想される日照条件があまり良好でない場合には、当該翌日（６月１日）の電力料金単価が安価な夜間帯（この例では２３：００〜７：００）に、前記商用電源４９から供給される電力を用いて、前記沸上運転を行う。
【００５８】
まず、前記のように翌日に予想される日照条件があまり良好でなく前記夜間帯に全量の沸上運転が行われた場合の、翌朝（前記翌日の朝）７時３０分における、前記リモコン装置５０の前記表示部６０での表示例を図６に示す。前記夜間帯に（前記図４を用いて説明した例では３：００〜７：００に）前記貯湯タンク１０内の湯水の沸上運転が行われた結果、図６に示す６月１日の朝７時３０分の段階では、貯湯タンク１０内の貯湯量は満タン状態であり、これに対応して、前記貯湯量表示部６４の全表示エレメント６４Ａ〜６４Ｅが点灯している。
【００５９】
一方、前記のように翌日に予想される日照条件が良好で当該翌日の前記昼間帯の前記沸上時間帯に沸上運転を行う場合の、前記翌朝７時３０分における、前記リモコン装置５０の前記表示部６０での表示は、前記図６に示した内容とは異なったものとなる。すなわち、本実施形態では、前記６月１日の前記沸上時間帯（前記図３を用いて説明した例では１１：００〜１５：００に）で沸き上げられる予定の沸上量の分、前記夜間帯に前記商用電源４９からの電力による沸上運転による沸上量を減らすことができる。この結果、そのままでは、図７に比較例として示すように、前記６月１日の朝７時３０分の段階においても、貯湯タンク１０内の全ての湯水が沸き上げられた状態とはなっておらず、未加熱水が、ある程度（＝前記太陽光発電の電力による前記沸上時間帯の沸上運転による沸上量の分）貯湯タンク１０内に残ったままとなる。すなわちこの例では、（前記図６とは異なり）貯湯タンク１０内の貯湯量は満タン状態の３／５程度に留まり、これに対応して前記貯湯量表示部６４の全表示エレメント６４Ａ〜６４Ｅのうち、下から３つの表示エレメント６４Ａ，６４Ｂ，６４Ｃのみが点灯し、残りの２つの表示エレメント６４Ｄ，６４Ｅは消灯した状態となる。
【００６０】
この場合、ユーザは、無意識のうちに前記図６のような表示状態と対比し、前記夜間帯が終わっているにもかかわらず、表示エレメント６４Ａ〜６４Ｅが全点灯状態ではないこと（＝前記貯湯タンク１０内に未加熱水が存在すること）を不審に思い、若しくは、７時３０分以降の使用における湯切れを危惧して、電気料金の高い前記昼間帯において前記「タンク湯増し」スイッチ７６を手動操作して所定量の前記沸上運転を実行（＝いわゆる手動湯増し）したり、あるいは貯湯式給湯装置１の作動不具合と誤解する可能性があり得る。
【００６１】
そこで、本実施形態によれば、前記制御装置３１に設けた前記表示制御部３３Ｂ（表示制御手段に相当）の制御により、図８に示すように、前記太陽光発電に基づく沸上運転を予告するマークＭ（昼沸上予告表示に相当。以下適宜、「昼沸上予告マーク」という）の表示が前記表示画面６０Ａにおいて行われる。すなわち、本実施形態では、前記余剰沸上判定部３３Ａによる前記の判定は、前記判定日（この例では５月３１日）から前記翌日（この例では６月１日）にわたる夜間帯（この例では２３：００〜７：００）における、後述する夜間沸上が開始される夜間沸上開始時刻（後述の図１３のステップＳ６２参照）までの間の所定のタイミング（前記第１タイミング。この例では５月３１日２３：００。前記した図３、図４、及び後述の図１２のフロー参照）に行われる。そして、前記表示部６１による前記昼沸上予告マークＭの表示は、前記第１タイミング以降で、かつ、前記夜間帯（この例では２３：００〜７：００）が終了する終了時刻（この例では６月１日７：００）までの間となる、所定のタイミング（第２タイミングに相当。例えば６月１日３：００。前記した図３、及び後述の図１２のフロー参照）に行われる。なお、この第２タイミングで開始された前記昼沸上予告マークＭの表示は、後述の消滅までの間、継続して表示される。
【００６２】
前記昼沸上予告マークＭが表示された状態で前記太陽光発電の電力による前記沸上時間帯（この例では１１：００〜１５：００。図３参照）の沸上運転が完了した後の、前記翌日の１６時３０分における、前記リモコン装置５０の前記表示部６０での表示例を図９に示す。図示のように、前記１１：００〜１５：００に前記貯湯タンク１０内の湯水の沸上運転が行われた結果貯湯タンク１０内の貯湯量は満タン状態となり、図８に示した６月１日の朝７時３０分の状態では未点灯であった前記貯湯量表示部６４の表示エレメント６４Ｄ，６４Ｅが点灯することで、全表示エレメント６４Ａ〜６４Ｅが点灯した状態となっている。また、前記沸上時間帯の沸上運転が１５：００に完了することで、それまで表示されていた前記昼沸上予告マークＭ（図８参照）が消滅している。
【００６３】
このとき、本実施形態においては、前記のように昼沸上予告マークＭが表示部６０の表示画面６０Ａ中に表示されている間、同時に、前記表示制御部３３Ｂの制御により、前記沸上時間帯の沸上運転の開始時刻を表す時刻表示Ｔ（この例では１１：００。以下適宜、「沸上開始時刻表示」という）が当該表示画面６０Ａ中において行われる。すなわち、前記沸上開始時刻表示Ｔは、前記昼沸上予告マークＭとともに、前記第２タイミングにおいて表示開始され、前記沸上時間帯の沸上運転が１５：００に完了すると共に消滅する。
【００６４】
なお、前記リモコン装置３０の前記表示部６０がいわゆる節電（スリープ）機能を備え、スリープ中はバックライトが消えた状態にあるとともにユーザによりリモコン装置３０において何らかの操作があったときに当該バックライトが点灯する（表示部６０全体として明るくなる）構成であっても良い。この場合、前記のように第２タイミング〜前記沸上時間帯の沸上運転完了の間、ユーザの何らかの操作がない状態では、前記バックライトが消えた状態（表示部６０全体が暗い状態）のままで表示画面６０Ａ中に前記昼沸上マークＭ及び前記沸上開始時刻表示Ｔの表示が追加される。あるいは、前記第２タイミング〜前記沸上時間帯の沸上運転完了の間は、ユーザの何らかの操作がなくても前記バックライトが点灯し、その表示部６０全体が明るい状態で表示画面６０Ａ中に前記昼沸上マークＭ及び前記沸上開始時刻表示Ｔの表示が追加される構成でも良い（第２タイミングになって前記昼沸上マークＭ及び前記沸上開始時刻表示Ｔの表示が追加された直後のみ、前記バックライトが明るくなる構成でも良い）。さらに、ユーザにより何らかの操作があった場合に、図１０に示すように、それまでの図８に示す前記表示画面６０Ａに被さる又は割り込むようにウィンドウ６０Ｗが表示される（あるいは独立した別画面に切り替わる構成でもよい）ようにしてもよい。図１０に示すウィンドウ６０Ｗでは、「今日６月１日、１１：００になったら、太陽光発電でお湯を沸かします。」のテキストメッセージ８０が表示され、ユーザに対し１１：００からの前記沸上時間帯において太陽光発電の電力による沸上運転が行われることを確実に報知するよう、図られている。なお、図８における前記昼沸上マークＭ及び前記沸上開始時刻表示Ｔに代えて、前記ウィンドウ６０Ｗ又は同等の表示機能を備えた表示領域を表示するようにしても良い。この場合、当該ウィンドウ６０Ｗが、前記昼沸上予告表示及び前記沸上運転の開始時刻の表示に相当することとなる。
【００６５】
また、以上の表示部６０の表示画面６０Ａの備える表示機能を、リモコン装置５０以外の他の部位、例えば制御装置３１やＨＥＭＳ機器７に設けた適宜のディスプレイ（この場合の表示手段に相当）が備えていても良い。この場合、前記表示制御部３３Ｂと同等の機能を備えた表示制御部（この場合の表示制御手段に相当）を制御装置３１やＨＥＭＳ機器７に設け、前記ディスプレイに対し前記と同様の表示制御を行うようにしてもよい。
【００６６】
次に、前記の手法を実現するために、前記ＨＥＭＳ機器７及び前記制御装置３１が実行する制御手順を、図１１、図１２、図１３、図１４、及び図１５のフローチャートにより説明する。
【００６７】
図１１に、前記ＨＥＭＳ機器７が実行する制御手順を示す。図１１において、まずステップＳ１１０で、ＨＥＭＳ機器７は、電力料金単価が安価な前記夜間帯（この例では２３：００〜７：００）の開始時刻（この例では２３：００。以下同様）となったか否かを判定する。夜間帯開始時刻となるまでは判定が満たされず（Ｓ１１０：ＮＯ）ループ待機し、夜間帯開始時刻となったら判定が満たされ（Ｓ１１０：ＹＥＳ）、ステップＳ１２０に移る。
【００６８】
ステップＳ１２０では、ＨＥＭＳ機器７は、前記気象情報取得部３２Ａにより、サーバ９からの前記気象情報を取得する。なお、気象情報取得部３２Ａが定期的に前記サーバ９から前記気象情報を取得して最新データを適宜の箇所に記憶しておき、このフローが開始されたときに、前記ステップＳ１２０のタイミングで、前記適宜の箇所に記憶されていた気象情報のデータを読み出して用いるようにしてもよい。
【００６９】
その後、ステップＳ１３０に移り、ＨＥＭＳ機器７は、前記発電電力予測部３２Ｂにより、太陽光発電装置３の過去所定期間の単位時間ごとの発電電力量と、前記ステップＳ１２０で取得した気象情報とに基づき、特定期間（この例では前記翌日。以下同様）での前記太陽光発電装置３の単位時間ごとの発電電力予測値を決定（算出）する。
【００７０】
そして、ステップＳ１４０で、ＨＥＭＳ機器７は、前記負荷使用電力予測部３２Ｃにより、前記電気負荷機器６の過去所定期間の単位時間ごとの負荷使用電力量に基づき、前記翌日での、当該電気負荷機器６の単位時間ごとの負荷使用電力予測値を決定（算出）する。
【００７１】
その後、ステップＳ１５０で、ＨＥＭＳ機器７は、前記装置使用電力予測部３２Ｄにより、前記貯湯式給湯装置１の過去所定期間の単位時間ごとの装置使用電力量に基づき、前記翌日での当該貯湯式給湯装置１の単位時間ごとの装置使用電力予測値を決定（算出）する。なお、既に述べたように、前記装置使用電力予測部３２Ｄと同等の機能を、前記貯湯式給湯装置１の前記制御装置３１が備え、前記装置使用電力予測値を決定してもよい。その際、前記制御装置３１自らが自己の消費電力を公知の手法で学習してもよいし、自己の消費電力を一定値として決定してもよい。この場合には、後述のステップＳ１８０では余剰電力予測値（後述）のみが制御装置３１へ出力され、また後述の図１２のステップＳ１０では、余剰電力予測値（後述）のみが制御装置３１により取得される。
【００７２】
そして、ステップＳ１６０に移り、ＨＥＭＳ機器７は、前記余剰電力予測部３２Ｅにより、前記ステップＳ１３０で決定された前記発電電力予測値と、前記ステップＳ１４０で前記電気負荷機器６の単位時間ごとの負荷使用電力予測値とに基づき、前記翌日での前記建造物における単位時間ごとの余剰電力予測値を決定（算出）する。
【００７３】
その後、ステップＳ１８０で、ＨＥＭＳ機器７は、前記ステップＳ１５０で決定した装置使用電力予測値、及び、前記ステップＳ１６０で決定した余剰電力予測値を、制御装置３１へ出力し、このフローを終了する。
【００７４】
図１２〜図１５に、前記制御装置３１が実行する制御手順を示す。まず図１２において、ステップＳ２で、制御装置３１は、前記余剰電力による前記貯湯式給湯装置１の前記沸上運転が不可能である場合を表す沸上不能フラグＦと、前記昼沸上予告マークＭが表示されたことを表すマーク表示フラグＦｄと、をそれぞれ０に初期化する。
【００７５】
その後、ステップＳ５で、制御装置３１は、図１１の前記ステップＳ１１０と同様、前記夜間帯の開始時刻（２３：００）となったか否かを判定する。夜間帯開始時刻となるまでは判定が満たされず（Ｓ５：ＮＯ）ループ待機し、夜間帯開始時刻となったら判定が満たされ（Ｓ５：ＹＥＳ）、ステップＳ１０に移る。
【００７６】
ステップＳ１０では、制御装置３１は、前記図１１の前記ステップＳ１８０で出力された、前記装置使用電力予測値、及び、前記余剰電力予測値を取得する。その後、ステップＳ２５に移る。ステップＳ２５では、制御装置３１は、前記必要熱量決定部３５により、前記使用湯量学習部３４で学習済みの前記過去所定期間の日毎の学習湯量に基づき、平均や標準偏差等を用いた公知の手法を用いて前記翌日における必要熱量を決定（算出）する。なお、この必要熱量は、所定温度（例えば４３［℃］）換算の必要湯量として算出しても良い。
【００７７】
その後、ステップＳ３０で、制御装置３１は、前記必要熱量決定部３５により、前記ステップＳ２５で決定した前記必要湯量と、前記ステップＳ１０で取得した外気温度（あるいは前記給水温度等の他の条件でもよい）とから、前記沸上目標温度を決定する。なお、この沸上目標温度は、例えば６５［℃］〜７５［℃］の間でなるべく低く設定されるが、特に前記必要湯量が多い場合や、前記外気温度が低い場合や、前記給水温度が低い場合には（それ以外の場合に比べ）高めに設定される。
【００７８】
そして、ステップＳ３５で、制御装置３１は、前記夜間沸上容量決定部３６により、前記ステップＳ３０で決定された前記必要熱量を前記沸上目標温度と給水温度との温度差で除して前記必要容量に換算し、夜間沸上を行うときの夜間沸上容量とする。なお、このようにして算出した算出した必要容量が前記貯湯タンク１０の容量を超えている場合には、当該貯湯タンク１０の容量を前記夜間沸上容量としても良い。その後、ステップＳ４０に移る。
【００７９】
ステップＳ４０では、制御装置３１は、前記余剰沸上判定部３３Ａにより、前記ステップＳ１０で取得された前記翌日の単位時間ごとの余剰電力予測値、及び、前記翌日の単位時間ごとの装置使用電力予測値、とを比較する。そして、前記翌日において、前記翌日において太陽光発電による電力を用いた沸上運転を行えるか否か（予め定められた長さすなわち前記の例では３時間以上、連続して前記余剰電力予測値が前記装置使用電力予測値以上となるような前記沸上可能時間帯があるか否か）を判定する。前記沸上可能時間帯が見つからない場合は判定が満たされず（Ｓ４０：ＮＯ）、後述のステップＳ４６に移る。前記沸上可能時間帯が見つかった場合は判定が満たされ（Ｓ４０：ＹＥＳ）、ステップＳ４２に移る。なお、このステップＳ４０を実行する制御装置３１の前記余剰沸上判定部３３Ａの機能が、昼間沸上判定手段として機能する。また、ステップＳ４０は、(それ以前のステップＳ２及びステップＳ１０〜ステップＳ３５とともに)前記ステップＳ５よりも前のタイミング、すなわち、前記判定日のうちの前記夜間帯の開始時刻より前に実行してもよい。この場合は、当該タイミングが、前記第１タイミングに相当する。
【００８０】
ステップＳ４２では、制御装置３１は、前記沸上判定部３３Ａにより、前記ステップＳ４０で見つかった前記沸上可能時間帯の中から、適宜の手法により、実際に沸上運転を行う時間区分（余剰沸上時間）を決定する。その後、ステップＳ４５に移る。
【００８１】
ステップＳ４５では、制御装置３１は、前記余剰沸上容量算出部３７により、前記ステップＳ４２で決定された前記余剰沸上時間の間で、貯湯式給湯装置１が、前記ヒートポンプ装置１９の所定の加熱能力の大きさで前記沸上目標温度まで沸き上げることのできる前記余剰沸上容量を算出する。
【００８２】
そして、ステップＳ５０で、制御装置３１は、前記補正夜間沸上容量算出部３８により、前記ステップＳ３５で算出された前記夜間沸上容量から、前記ステップＳ４５で算出された余剰沸上容量を差し引いて、実際に前記夜間帯に沸き上げる前記補正夜間沸上容量を算出する。その後、後述のステップＳ５５に移る。
【００８３】
一方、前記ステップＳ４０での判定が満たされず移行したステップＳ４６では、制御装置３１は、前記沸上不能フラグＦを、前記余剰電力による前記貯湯式給湯装置１の前記沸上運転が不可能である場合を表す１とする。
【００８４】
その後、ステップＳ４８で、制御装置３１は、前記補正夜間沸上容量算出部３８により、補正夜間沸上容量＝０とする。その後、ステップＳ５５に移る。
【００８５】
ステップＳ５５では、制御装置３１は、前記夜間沸上制御部３９により、前記複数の貯湯温度センサ１８の検出結果に基づき、十分に加熱された状態でお湯とみなせる貯湯量の容量（残湯容量）を算出する。
【００８６】
さらにその後のステップＳ６０で、制御装置３１は、夜間沸上制御部３９により、夜間沸上の開始時刻を算出する。
【００８７】
すなわち、前記ステップＳ４０の判定が満たされ（Ｓ４０：ＹＥＳ）、ステップＳ４２〜ステップＳ５０及びステップＳ５５を経てステップＳ６０に移行していた場合は、前記夜間沸上制御部３９により、前記ステップＳ５０で算出された前記補正夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）、前記夜間沸上開始時刻を算出する。
【００８８】
一方、前記ステップＳ４０の判定が満たされず（Ｓ４０：ＮＯ）、ステップＳ４６、ステップＳ４８、及びステップＳ５５を経てステップＳ６０に移行していた場合は、前記夜間沸上制御部３９により、前記ステップＳ３５で算出した前記夜間沸上容量から前記ステップＳ５５で算出した残湯容量を減算した容量を沸き上げるのに必要な沸き上げ時間を算出し、前記夜間帯の終了時刻（例えば７：００）に沸上完了するのに適切な（例えば、前記夜間帯終了時刻から前記必要な沸上時間を差し引くことで）夜間沸上開始時刻を算出する。
【００８９】
そして、図１３のステップＳ６２に移り、制御装置３１は、前記夜間沸上制御部３９により、この時点での時刻（現在時刻）がステップＳ６０で算出した夜間沸上開始時刻となったか否かを判定する。夜間沸上開始時刻となっていなければ判定が満たされず（Ｓ６２：ＮＯ）、ステップＳ６３に移る。
【００９０】
ステップＳ６３では、制御装置３１は、前記表示制御部３３Ｂにより、前記沸上不能フラグＦが１であるか否か（すなわち前記余剰電力による前記貯湯式給湯装置１の前記沸上運転が不可能であると判定されているか否か）を判定する。Ｆ＝１であれば判定が満たされ（Ｓ６３：ＹＥＳ）、ステップＳ６２に戻って同様の手順を繰り返す。Ｆ＝０のままであれば判定が満たされず（Ｓ６３：ＮＯ）、ステップＳ６４に移る。
【００９１】
ステップＳ６４では、制御装置３１は、前記表示制御部３３Ｂにより、前記現在時刻が前記昼沸上予告マークＭの表示開始タイミング（すなわち前記第２タイミング。前述の例では３：００。以下同様）になったか否か、を判定する。前記表示開始タイミングになっていなければ判定が満たされず（Ｓ６４：ＮＯ）、前記ステップＳ６２に戻って同様の手順を繰り返す。前記表示開始タイミングになっていたら判定が満たされ（Ｓ６４：ＹＥＳ）、ステップＳ６６に移る。
【００９２】
ステップＳ６６では、制御装置３１は、前記表示制御部３３Ｂにより、前記リモコン装置５０の前記表示部６０に対し、前記昼沸上予告マークＭを表示させるための予告表示制御信号を出力する。これにより、前記図８に示したように、前記表示画面６０Ａにおいて、前記昼沸上予告マークＭと、前記ステップＳ４２で決定した前記余剰沸上時間の開始時刻（この例では１１：００）に対応した前記開始時刻を表す前記沸上開始時刻表示Ｔとを表示（表示開始）する。その後、ステップＳ６８に移る。
【００９３】
ステップＳ６８では、制御装置３１は、前記表示制御部３３Ｂにより、前記マーク表示フラグＦｄを１とする。その後、前記ステップＳ６２に戻り、同様の手順を繰り返す。
【００９４】
一方、前記ステップＳ６２において、前記現在時刻が前記夜間沸上開始時刻となっていたら判定が満たされ（Ｓ６２：ＹＥＳ）、ステップＳ２００に移る。
【００９５】
ステップＳ２００では、制御装置３１は、前記夜間沸上制御部３９による夜間沸上処理を行う。このステップＳ２００の詳細手順を図１４に示す。
【００９６】
図１４において、まずステップＳ２１５で、制御装置３１は、前記夜間沸上制御部３９により、前記貯湯式給湯装置１の前記ヒートポンプ装置１９（詳細には、前記圧縮機２０、前記送風機２４、前記加熱循環ポンプ２８等）を制御し、前記貯湯タンク１０の下部から取り出した水を前記ステップＳ３０で決定した前記沸上目標温度まで加熱して貯湯タンク１０の上部から順次積層させる、夜間沸上運転を開始する。
【００９７】
その後、ステップＳ２１６で、制御装置３１は、前記夜間沸上制御部３９により、前記のようにして夜間沸上運転が開始された後、前記ステップＳ５０で算出した前記補正夜間沸上容量を沸き上げたことが前記貯湯温度センサ１８により検出された（若しくは運転中の現在時刻が前記夜間帯の終了時刻となった）か否かを判定する。前記補正夜間沸上容量を沸き上げていない（若しくは前記夜間帯の終了時刻となっていない）場合は判定が満たされず（Ｓ２１６：ＮＯ）、ステップＳ２２３に移る。
【００９８】
ステップＳ２２３では、制御装置３１は、前記表示制御部３３Ｂにより、前記マーク表示フラグＦｄが１であるか否か（すなわち既に前記昼沸上予告マークＭ及び前記沸上開始時刻表示Ｔがなされたか否か）を判定する。Ｆｄ＝１であれば判定が満たされ（Ｓ２２３：ＹＥＳ）、ステップＳ２１６に戻って同様の手順を繰り返す。Ｆｄ＝０のままであれば判定が満たされず（Ｓ２２３：ＮＯ）、ステップＳ２２４に移る。
【００９９】
ステップＳ２２４では、前記ステップＳ６４と同様、制御装置３１は、前記表示制御部３３Ｂにより、前記現在時刻が前記表示開始タイミング（前記第２タイミング）になったか否か、を判定する。前記表示開始タイミングになっていなければ判定が満たされず（Ｓ２２４：ＮＯ）、前記ステップＳ２１６に戻って同様の手順を繰り返す。前記表示開始タイミングになっていたら判定が満たされ（Ｓ２２４：ＹＥＳ）、ステップＳ２２６に移る。
【０１００】
ステップＳ２２６では、前記ステップＳ６６と同様、制御装置３１は、前記表示制御部３３Ｂにより、前記表示部６０に対し前記昼沸上予告マークＭを表示させるための予告表示制御信号を出力する。これにより、前記と同様、前記表示画面６０Ａにおいて前記昼沸上予告マークＭと前記沸上開始時刻表示Ｔとを表示する。その後、ステップＳ２２８に移る。
【０１０１】
ステップＳ２２８では、前記ステップＳ６８と同様、制御装置３１は、前記表示制御部３３Ｂにより前記Ｆｄ＝１とする。その後、前記ステップＳ２１６に戻り、同様の手順を繰り返す。
【０１０２】
一方、前記ステップＳ２１６において、前記補正夜間沸上容量を沸き上げた（若しくは前記夜間帯の終了時刻となった）場合は判定が満たされ（Ｓ２１６：ＹＥＳ）、夜間沸上運転の完了とみなされて、ステップＳ２１８に移る。
【０１０３】
ステップＳ２１８では、制御装置３１は、前記夜間沸上制御部３９により、前記ヒートポンプ装置１９を制御し、前記ステップＳ２１５で開始した夜間沸上運転を停止する。このとき、貯湯タンク１０の下部には、前記ステップＳ４５で算出した余剰沸上容量と同じ容量だけ、未加熱水が残ることとなる。その後、図１３に戻り、ステップＳ７１に移る。
【０１０４】
ステップＳ７１では、制御装置３１は、前記ステップＳ６３と同様、前記沸上不能フラグＦが１であるか否か（すなわち前記余剰電力による前記貯湯式給湯装置１の前記沸上運転が不可能であると判定されているか否か）を判定する。Ｆ＝１であれば判定が満たされ（Ｓ７１：ＹＥＳ）、後述のステップＳ８０に移る。依然としてＦ＝０のままであれば判定が満たされず（Ｓ７１：ＮＯ）、ステップＳ７２に移る。
【０１０５】
ステップＳ７２では、制御装置３１は、前記夜間帯の終了時刻（７：００）となったか否かを判定する。夜間帯終了時刻となっていなければ判定が満たされず（Ｓ７２：ＮＯ）、ステップＳ７３に移る。
【０１０６】
ステップＳ７３では、前記ステップＳ２２３と同様、制御装置３１は、前記表示制御部３３Ｂにより、前記マーク表示フラグＦｄが１であるか否か（すなわち既に前記昼沸上予告マークＭ及び前記沸上開始時刻表示Ｔがなされたか否か）を判定する。Ｆｄ＝１であれば判定が満たされ（Ｓ７３：ＹＥＳ）、ステップＳ７２に戻って同様の手順を繰り返す。Ｆｄ＝０のままであれば判定が満たされず（Ｓ７３：ＮＯ）、ステップＳ７４に移る。
【０１０７】
ステップＳ７４では、前記ステップＳ２２４と同様、制御装置３１は、前記表示制御部３３Ｂにより、前記現在時刻が前記表示開始タイミング（前記第２タイミング）になったか否か、を判定する。前記表示開始タイミングになっていなければ判定が満たされず（Ｓ７４：ＮＯ）、前記ステップＳ７２に戻って同様の手順を繰り返す。前記表示開始タイミングになっていたら判定が満たされ（Ｓ７４：ＹＥＳ）、ステップＳ７６に移る。
【０１０８】
ステップＳ７６では、前記ステップＳ２２６と同様、制御装置３１は、前記表示制御部３３Ｂにより、前記表示部６０に対し前記昼沸上予告マークＭを表示させるための予告表示制御信号を出力する。これにより、前記と同様、前記表示画面６０Ａにおいて前記昼沸上予告マークＭと前記沸上開始時刻表示Ｔとを表示する。その後、ステップＳ７８に移る。
【０１０９】
ステップＳ７８では、前記ステップＳ２２８と同様、制御装置３１は、前記表示制御部３３Ｂにより前記Ｆｄ＝１とする。その後、前記ステップＳ７２に戻り、同様の手順を繰り返す。
【０１１０】
一方、前記ステップＳ７２で夜間帯終了時刻となっていたら判定が満たされ（Ｓ７２：ＹＥＳ）、ステップＳ３００に移る。なお、表示開始タイミングである前記第２タイミングが、前記夜間帯終了時刻（この例では７：００）と同一時刻に設定されていた場合には、前記ステップＳ７２の判定が満たされた後前記ステップＳ３００に移行する前に、前記ステップＳ７４、ステップＳ７６、ステップＳ７８と同等の手順が実行されるようにすればよい。
【０１１１】
ステップＳ３００では、制御装置３１は、前記余剰沸上制御部４０による余剰沸上処理を行う。このステップＳ３００の詳細手順を図１５に示す。
【０１１２】
図１５において、まずステップＳ３２０で、制御装置３１は、前記余剰沸上制御部４０により、この時点での時刻（現在時刻）が前記ステップＳ４２で決定した沸上時間区分の開始時刻（余剰沸上開始時刻。前述の例では１１：００）となったか否かを判定する。余剰沸上開始時刻となるまでは判定が満たされず（Ｓ３２０：ＮＯ）、ループ待機する。余剰沸上開始時刻となっていたら判定が満たされ（Ｓ３２０：ＹＥＳ）、ステップＳ３２２に移る。
【０１１３】
ステップＳ３２２では、制御装置３１は、前記余剰沸上制御部４０により、前記貯湯式給湯装置１の前記ヒートポンプ装置１９（詳細には、前記圧縮機２０、前記送風機２４、前記加熱循環ポンプ２８等）を制御し、前記貯湯タンク１０の下部から取り出した水を前記ステップＳ３０で決定した前記沸上目標温度まで加熱して貯湯タンク１０の上部から順次積層させる、余剰沸上運転を開始する。
【０１１４】
その後、ステップＳ３２４で、制御装置３１は、前記余剰沸上制御部４０により、前記のようにして余剰沸上運転が行われた後、ステップＳ４５で算出した前記余剰沸上容量を沸き上げたことが前記貯湯温度センサ１８により検出された（若しくは運転中の現在時刻が前記沸上時間区分の終了時刻となった）か否かを判定する。前記余剰沸上容量を沸き上げた場合は（若しくは前記沸上時間区分の終了時刻となった）場合は判定が満たされ（Ｓ３２４：ＹＥＳ）、余剰沸上運転の完了とみなされて、ステップＳ３２６に移る。
【０１１５】
ステップＳ３２６では、制御装置３１は、前記余剰沸上制御部４０により、前記ヒートポンプ装置１９を制御し、前記ステップＳ３２２で開始した余剰沸上運転を停止する。このとき、前記したように、前記夜間沸上運転の完了時に貯湯タンク１０の下部に前記余剰沸上容量と同じ容量だけ未加熱水が残っているため、余剰沸上運転の開始までの間に一切給湯されていなくても、当初予測していた余剰電力を全量活用した余剰沸上運転を連続して行うことができる。その後、ステップＳ３２８に移る。
【０１１６】
ステップＳ３２８では、制御装置３１は、前記表示制御部３３Ｂにより、前記リモコン装置５０の前記表示部６０に対し、前記昼沸上予告マークＭを表示させるための予告表示制御信号を出力を停止する。これにより、前記ステップＳ６６、若しくは、前記ステップＳ２２６、若しくは、ステップＳ７６、で開始していた前記昼沸上予告マークＭと前記沸上開始時刻表示Ｔとが消滅（表示終了）する。以上のようにして余剰沸上運転が完了した後、図１３に戻り、ステップＳ９６に移る。なお、沸上開始時刻表示Ｔは、前記ステップＳ３２２における余剰沸上開始のタイミングで消滅させるようにしてもよい。
【０１１７】
ステップＳ９６では、制御装置３１は、前記昼間沸増制御部４２により、この時点での時刻（現在時刻）が前記昼間帯（例えば７：００〜２３：００）の終了時刻（例えば２３：００）となったか否かを判定する。昼間帯終了時刻となっていれば判定が満たされ（Ｓ９６：ＹＥＳ）、図１２に示した前記ステップＳ２に戻り、同様の手順を繰り返す。前記昼間帯終了時刻となっていなければ判定が満たされず（Ｓ９６：ＮＯ）、ステップＳ９２に移る。
【０１１８】
ステップＳ９２では、制御装置３１は、前記昼間沸増制御部４２により、例えば貯湯タンク１０の最上部の貯湯温度センサ１８が所定の湯切れ危険温度以下にまで低下したか否かを判定する。前記湯切れ危険温度より高い温度であればステップＳ９２の判定が満たされず（Ｓ９２：ＮＯ）、前記ステップＳ９６に戻って同様の手順を繰り返す。前記湯切れ危険温度以下であればステップＳ９２の判定が満たされて（Ｓ９２：ＹＥＳ）湯切れ状態であるとみなされ、ステップＳ９４へ移行する。
【０１１９】
ステップＳ９４では、制御装置３１は、前記昼間沸増制御部４２により、前記ヒートポンプ装置１９を制御し、前記湯切れを解消するための所定時間（例えば１時間）の湯切れ沸増運転を行う。その後、前記ステップＳ９６に戻って同様の手順を繰り返す。
【０１２０】
以上説明したように、本実施形態の太陽光発電装置連携貯湯式給湯システム１００によれば、前記余剰沸上判定部３３Ａにより、前記ステップＳ１０で前記余剰電力予想値を取得して以降（言い替えれば前記ステップＳ１６０で前記余剰電力予想値が決定されて以降）、前記判定日（前記の例では５月３１日。以下同様）から前記翌日（６月１日）にわたる夜間帯の終了時刻（６月１日７：００）までに当該翌日に必要な貯湯量の沸上を完了するための前記夜間沸上開始時刻までの間の、前記第１タイミング（５月３１日２３：００）に、当該翌日の前記沸上時間帯に沸上運転を実行可能かどうかの判定が行われる。そして、実行可能と判定された場合には、前記第１タイミング以降で、かつ、前記夜間帯が終了する終了時刻（６月１日７：００）までの間の前記第２タイミング（６月１日３：００）に、前記表示部６１による前記昼沸上予告マークＭが表示される。
【０１２１】
これにより、ユーザは、前記昼沸上予告マークＭを視認することで、貯湯タンク１０内に未加熱水が残っている理由が、このあと昼間帯（詳細には前記沸上時間帯）において太陽光発電の電力による沸上運転が実行されるからである、と正しく認識することができる。この結果、前記の手動操作による沸上運転の実行や作動不具合との誤解といった不都合を回避することができる。また、翌日に太陽光発電の電力が利用できること、すなわち翌日の気象情報が概ね良好（晴天）であることをユーザに報知することもできる。
【０１２２】
また、本実施形態では特に、図１２のステップＳ４０において、太陽光発電装置３の前記発電電力予測値と電気負荷機器６の消費する負荷使用電力予測値とを用いて決定された前記余剰電力予測値と、装置消費電力予測部３２Ｄにより決定された装置使用電力予測値と、に基づき、前記翌日の前記沸上時間帯における沸上運転の可否を判定することにより、より精度の高い確実な判定を行うことができる。
【０１２３】
また、本実施形態では特に、翌日１日間における気象情報（天気予報情報や日照時間情報等）が気象情報取得部３２Ａによって取得され、余剰電力予測部３２Ｅにおいて、それに対応した、太陽光発電装置３での発電電力値の時間的変動を表す前記発電電力予測値と、前記負荷使用電力予測値とを用いて、前記余剰電力予測値が決定される。このようにして、サーバ９から提供されて（あるいはさらに、太陽光発電装置連携貯湯式給湯システム１００の外部から提供されていてもよい）いる公知の気象情報を用いて、確実な余剰電力予測値の決定を行うことができる。
【０１２４】
また、本実施形態では特に、前記沸上時間帯の沸上運転の完了時に昼沸上予告マークＭが消滅する（図１５のステップＳ３２８参照）。これにより、予告した、太陽光発電を用いた前記沸上時間帯の沸上運転が終了したことをユーザに確実に認識させることができる。なお、前記沸上時間帯の沸上運転の完了時に加え、ユーザの手動操作による昼間帯の沸上運転中に夜間帯開始時刻（２３：００）となった場合についても、前記昼沸上予告マークＭ及び前記沸上開始時刻表示Ｔが消滅するようにしてもよい。
【０１２５】
また、本実施形態では特に、前記昼間帯における前記沸上運転が不可と判定された場合には、昼沸上予告マークＭが表示されない（図６参照）ことで、翌日に太陽光発電の電力利用の沸上運転を行わないこと、言い替えれば翌日の気象情報が良好ではないこと、をユーザに確実に認識させることができる。
【０１２６】
また、本実施形態では特に、前記沸上時間帯における前記沸上運転が可能と判定された場合には、前記昼沸上予告マークＭに加え、前記沸上開始時刻表示Ｔをさらに表示する。これにより、昼間帯において太陽光発電の電力による沸上運転が実行開始される時間を、確実にユーザに報知することができる。またこの沸上開始時刻表示Ｔを、当該沸上運転開始後には消滅させる（図１５のステップＳ３２８参照）ことにより、沸上運転終了後にも表示した状態とすることによるユーザの誤解（さらに翌日、すなわち６月２日の沸上運転の開始時刻との誤解）を避けることができる。
【０１２７】
また、本実施形態では特に、前記貯湯タンク内における貯湯量が、前記貯湯量表示部６４によって表示される。これにより、前記夜間帯が終了した直後、貯湯タンク１０内の貯湯量が満タンでない（前記表示エレメント６４Ａ〜Ｃのみの表示となっている）理由が、そのあと昼間帯において太陽光発電の電力による沸上運転が実行されるからである、とユーザに確実に認識させることができる。
【０１２８】
また、本実施形態では特に、前記貯湯式給湯装置１における所定量の前記沸上運転の実行を手動操作により指示可能なリモコン装置５０を有する。これにより、前記リモコン装置５０を介しユーザが手動操作で沸上運転の実行を指示可能な構成において、昼間帯において太陽光発電の電力による沸上運転が実行されることをユーザに確実に認識させ、前記手動操作による沸上運転を不用意に実行してしまうのを確実に防止できる。またこのとき、前記リモコン装置５０の前記表示部６０において前記昼沸上予告マークの表示が行われることで、昼間帯において太陽光発電の電力による沸上運転が実行されることを、手元のリモコン装置５０を介しユーザに確実に認識させることができる。
【０１２９】
なお、本発明は以上の態様に限定されることなく、その趣旨を変更しない範囲で適用可能なものであり、例えばヒートポンプ装置１９に代えて、電気ヒータ式の加熱手段を用いても良いものである。
【０１３０】
また、前記ＨＥＭＳ機器７に設けられた各機能部（気象情報取得部３２Ａと、発電電力予測部３２Ｂと、負荷使用電力予測部３２Ｃと、装置使用電力予測部３２Ｄと、余剰電力予測部３２Ｅ）のうち少なくとも１つを前記サーバ９に設けても良い。
【０１３１】
また、以上において、図２等の各図中に示す矢印は信号の流れの一例を示すものであり、信号の流れ方向を限定するものではない。
【０１３２】
また、図１１〜図１５に示すフローチャート図は本発明を上記フローに示す手順に限定するものではなく、発明の趣旨及び技術的思想を逸脱しない範囲内で手順の追加・削除又は順番の変更等をしてもよい。
【符号の説明】
【０１３３】
１                貯湯式給湯装置
３                太陽光発電装置
６                電気負荷機器
７                ＨＥＭＳ機器
１０              貯湯タンク
１９              ヒートポンプ装置（ヒートポンプ式加熱手段）
２６              加熱往き管（加熱循環回路）
２７              加熱戻り管（加熱循環回路）
２８              加熱循環ポンプ（加熱循環回路）
３１              制御装置
３２Ａ            気象情報取得部（気象情報取得手段）
３２Ｂ            発電電力予測部（発電電力予測手段）
３２Ｃ            負荷使用電力予測部
３２Ｄ            装置使用電力予測部（装置消費電力予測手段）
３２Ｅ            余剰電力予測部（余剰電力予測手段）
３３Ａ            余剰沸上判定部
３３Ｂ            表示制御部（表示制御手段）
４９              商用電源
５０              リモコン装置（遠隔操作手段）
６０              表示部（表示手段）
６０Ａ            表示画面
６４              貯湯量表示部
６４Ａ〜Ｅ        表示エレメント
１００            太陽光発電装置連携貯湯式給湯システム
Ｍ                昼沸上予告マーク（昼沸上予告表示）
Ｔ                沸上開始時刻表示
【図１】
2018119732.tif 000003
【図２】
2018119732.tif 000004
【図３】
2018119732.tif 000005
【図４】
2018119732.tif 000006
【図５】
2018119732.tif 000007
【図６】
2018119732.tif 000008
【図７】
2018119732.tif 000009
【図８】
2018119732.tif 000010
【図９】
2018119732.tif 000011
【図１０】
2018119732.tif 000012
【図１１】
2018119732.tif 000013
【図１２】
2018119732.tif 000014
【図１３】
2018119732.tif 000015
【図１４】
2018119732.tif 000016
【図１５】
2018119732.tif 000017